(57)【要約】      （修正有）【課題】簡単容易に返信用の封筒を作成して、送信用の封筒を返信用の封筒として再利用することができ、経済的で省エネにも役立つ往復式封筒を提供する。【解決手段】送信宛名Ａを表記する表側２と返信宛名を表記する裏側とから構成され、表側２の上端にはフラップ部分が一体形成されていて、送信時は、前記フラップ部分を封筒内部に入れて、その先端部を裏側の内側に貼着し、返信時は、前記フラップ部分を切り剥がして封筒内部より取り出し裏側の上面に貼着して返信する往復式封筒である。【選択図】図１
0003148114.tif 000002
【実用新案登録請求の範囲】
【請求項１】
送信宛名を表記する表側と返信宛名を表記する裏側とから構成され、表側の上端にはフラップ部分が一体形成されていて、
送信時は、前記フラップ部分を封筒内部に入れて、その先端部を裏側の内側に貼着し、
返信時は、前記フラップ部分を切り剥がして封筒内部より取り出し裏側の上面に貼着して返信する往復式封筒。
【請求項２】
送信宛名を表記する表側と、裏側とから構成され、表側の上端には２ケ所のミシン目を有し返信宛名を表記したフラップ部分が一体形成され、裏側の上端には前記フラップ部分より小さな内側片が一体形成されていて、
送信時は、前記フラップ部分で前記内側片を覆い裏側に貼着し、
返信時は、前記ミシン目からフラップ部分を切り取り、前記内側片を表側に貼着して返信する往復式封筒。
【請求項３】
送信宛名を表記する表側と返信宛名を表記する裏側とから構成され、表側の上端には２ケ所のミシン目と脱着片とを有するフラップ部分が一体形成されていて、
送信時は、前記フラップ部分を裏側に貼着し、ミシン目間の脱着片を両側に引き剥がして開封し、
返信時は、前記フラップ部分を封筒内部に入れて貼着して返信する往復封筒。
【請求項４】
往復式封筒本体の素材に透明材を用い、表側の上端にはミシン目を有するフラップ部分が一体形成され、裏側の上端にはセパレーターが一体形成されていて、
送信時は、前記フラップ部分を裏側に貼着し、前記フラップ部分の上端を残存してミシン目より切り取って開封し、
返信時は、前記残存したフラップ部分を裏側にセパレーターにて貼着する往復式封筒。
【考案の詳細な説明】
【技術分野】
【０００１】
本考案は、送信用の封筒を返信用の封筒として再利用する往復式封筒に関するものである。
【背景技術】
【０００２】
従来から一般的に使用されている往復ハガキや往復封筒は、例えば図２７及び図２８に示すようなものがある。往復ハガキの場合は、送信ハガキ７２と返信ハガキ７３との中央部に切り取り線を入れた往復用ハガキ本体７１を設け、この往復用ハガキ本体７１の切り取り部分をハサミなどで切り取り返信ハガキ７３を郵送する方法であり、また往復封筒の場合は返信先を記入した返信用封筒本体８１を小さく折り畳み同型の送信用の封筒に入れて郵送して送信するものである。
【０００３】
このような従来の往復式封筒による郵送方法の不便さを解決するため、本願出願人が提案した特許文献１を図２９に示す。この考案は送信用の封筒にミシン目を設けて開封するところに特徴を有するものである。
【特許文献１】特開２００３−２９１９８０
【０００４】
すなわち、この封筒は封筒のフラップを大きく形成しこのフラップに１本以上のミシン目若しくは切り取り線を入れるとともに大きく形成したフラップの裏面若しくはフラップに対応する封筒本体に返信宛名を印刷し、その宛名をフラップで覆い水糊などの糊を塗布し封止して送信する封筒で封止されたフラップの１本以上のミシン目若しくは切り取り線を切り離して返信宛名を露出させて返信用封筒を形成することを特徴とする封筒である。
また、その具体的な構成は送返信用封筒本体９１の表側９２と裏側９３とが袖部９４とフラップ９５とで構成されている。このように構成された封筒を使用する場合は、初めに発送する通常の使用状態では左右の袖部９４を折り曲げその上に裏側９３を折り返して封筒を形成し、ついで表側９２に宛名を書いて通信文書などを入れてからフラップ９５を折って封をする。また、表側９２の裏面には返信先の宛名を印刷するとともにフラップ９５の先端近くにミシン目を設けかつ袖部９４の先端にミシン目９６を設け、更にミシン目９６の先端側にミシン目９６平行に水糊などの糊９７を塗布して乾燥させる。
更に、返送する場合は各ミシン目９６を切り離して封筒を一枚のシート状に開き、通常状態で裏側９３を表側９２として裏返し袖部９４を裏側９３に折り返した上から裏側９３を折り返し、更に袖部９４と裏側９３とを当接して袖部９４の糊９７で裏側９３に接着させて返信用の封筒を作成する。
【考案の開示】
【考案が解決しようとする課題】
【０００５】
このような従来の往復式封筒では、返信封筒を作成するのに手間がかかりすぎて実用化を図るうえで多く問題があった。
【０００６】
本考案は上記の点に鑑みなされたものであり、簡単容易に返信用の封筒を作成して、送信用の封筒を返信用の封筒として再利用することができ、経済的であるばかりか省エネにも役立つ往復用封筒を提供するものである。
【課題を解決するための手段】
【０００７】
本考案の要旨とするところは、送信宛名を表記する表側と返信宛名を表記する裏側とから構成され、表側の上端にはフラップ部分が一体形成されていて、送信時は、前記フラップ部分を封筒内部に入れて、その先端部を裏側の内側に貼着し、返信時は、前記フラップ部分を切り剥がして封筒内部より取り出し裏側の上面に貼着して返信する往復式封筒。
【０００８】
本考案の要旨とするところは、送信宛名を表記する表側と、裏側とから構成され、表側の上端には２ケ所のミシン目を有し返信宛名を表記したフラップ部分が一体形成され、裏側の上端には前記フラップ部分より小さな内側片が一体形成されていて、送信時は、前記フラップ部分で前記内側片を覆い裏側に貼着し、返信時は、前記ミシン目からフラップ部分を切り取り、前記内側片を表側に貼着して返信する往復式封筒。
【０００９】
本考案の要旨とするところは、送信宛名を表記する表側と返信宛名を表記する裏側とから構成され、表側の上端には２ケ所のミシン目と脱着片とを有するフラップ部分が一体形成されていて、送信時は、前記フラップ部分を裏側に貼着し、ミシン目間の脱着片を両側に引き剥がして開封し、返信時は、前記フラップ部分を封筒内部に入れて貼着して返信する往復封筒。
【００１０】
本考案の要旨とするところは、往復式封筒本体の素材に透明材を用い、表側の上端にはミシン目を有するフラップ部分が一体形成され、裏側の上端にはセパレーターが一体形成されていて、送信時は、前記フラップ部分を裏側に貼着し、前記フラップ部分の上端を残存してミシン目より切り取って開封し、返信時は、前記残存したフラップ部分を裏側にセパレーターにて貼着する往復式封筒。
【考案の効果】
【００１１】
本考案は上記の如き構成であるため、請求項１記載の考案は、開封した状態からフラップ部分を封筒の外側に取り出してそのまま封印することができるので、簡単容易に返信用の封筒を作成して、送信用の封筒を返信用の封筒として再利用することができ、経済的であるばかりか省エネにも役立つのである。
【００１２】
請求項２記載の考案は、返信宛名が記入されている部分を残してミシン目からフラップ部分を切り取り、内側片を表側にして貼着して返信できるから、返信が容易簡単に行えるのである。
【００１３】
請求項３記載の考案は、ミシン目間の脱着片を両側に引き剥がすことで開封が容易に行え、封印時にフラップ部分を封筒内部に収納して返信できるから、返信が容易簡単に行えるのである。
【００１４】
請求項４記載の考案は、往復式封筒本体の素材に透明材を用い、表側の上端に一体形成されたフラップ部分を開封時に切り取って開封し、残存したフラップ部分をセパレーターにて裏側に貼着して返信できるから、返信が容易簡単に行えるのである。
【考案を実施するための最良の形態】
【００１５】
本考案を実施するための最良の形態は、送信宛名を表記する表側と返信宛名を表記する裏側とから構成されていて、裏側の上端には開封部を設けると共に、表側の上端部には、ミシン目と脱着片とを有するフラップ部分が一体形成されていて、前記開封部を完全に切り取らずに開封して書面を封筒の中から取り出し、返信時には前記フラップ部分を切り剥がして裏側の上面に帖着して返信するものである。
【実施例】
【００１６】
以下、図面に従って本考案の往復式封筒の実施例について説明する。
なお、各実施例では郵送用封筒について説明しているが、タックス紙などの送信用と返信用にも利用できる。
図１から図３は本考案の往復式封筒の第１実施例を示したものであり、１はその往復式封筒本体である。この往復式封筒本体１は、送信宛名Ａを表記する表側２と返信宛名Ｂを表記する裏側３とから構成されている。更に、裏側３の上端には開封部４が設けられている。このように構成されている往復式封筒本体１は、図３で示しているように１枚の紙を中央から折り曲げ紙面に糊付部５を設けて糊付けされている。また表側２の上端には、ミシン目７と脱着片６とを有するフラップ部分８が一体形成されている。
【００１７】
次に図４から図９により、本実施例の往復式封筒の使用方法について説明する。
まず、往復式封筒本体１の中に所望の書面Ｓを入れてフラップ部分８を内側に折り曲げて裏側３の線面を糊付けして送信する。その際、フラップ部分８の先端部は裏側３の内側に糊付けされる。
送信先に往復式封筒本体１が着送されたならば裏側３の開封部４に有している半円形状の部分を手前に引き、そこに指先Ｒを差し込み左右に移動させるとフラップ部分８の脱着片６から裏側３が剥がれるので、この開封部４から書面Ｓを取り出す。
書面Ｓを返信する場合は、封筒本体１に書面Ｓを入れた後にフラップ部分８の糊付けされていた脱着片６を切り剥し、フラップ部分８を封筒本体１の外に取り出してチューブ１０入りの糊９を用いて裏側３に糊付けして郵送する。
すなわち、本実施例の往復式封筒は、開封した状態でフラップ部分８を外側に取り出してそのまま封印することが可能となるので、簡単容易に返信用の封筒を作成することができる。
【００１８】
図１０から図１２は本考案の往復式封筒の第２実施例を示したものであり、２１は往復式封筒本体である。この往復式封筒本体２１は、送信用の表側（図示せず）の先端部分に２ケ所にミシン目２４を設け、かつ返信宛名Ｂを記入したフラップ部分２５が一体形成され、一方返信用の裏側２２の先端部分にフラップ部分２５よりも小さな内側片２３が一体形成されている。
このように構成されている往復式封筒本体２１を用いて返信する場合は、返信宛名Ｂが記入されている部分を残してミシン目２４からフラップ部分２５を切り剥がし、更にフラップ部分２５全体のミシン目２４からフラップ部分２５を切り取る。ついで、裏側２２の上端に有する内側片２３を表側にして糊付けして郵送する。
なお、本実施例ではフラップ部分２５を切り剥すのにミシン目を設けているが、ミシン目に限定されるものではなくいかなる手段でもよい。また、本実施例では原則として定形封筒を対象に説明されているが、上部又は下部が定型外の場合でも同一の作用と効果が得られる。
【００１９】
図１３から図１６は本考案封筒の第３実施例を示したものである。３１は往復式封筒本体である。
この往復式封筒本体３１は、送信用の表側（図示せず）の先端部分に２ケ所にミシン目３４を設けたフラップ部分３５が一体形成されていて、裏側３２の上端には返信宛名Ｂが記入されている。
この往復式封筒本体３１の特徴は、フラップ部分３５に２本のミシン目３４を入れ、開封はミシン目３４間の脱着片３６を両側に引き剥がして行う。封印時にフラップ部分３５を封筒の内側に入れて糊付けするものである。なお、フラップ部分３５に設けているミシン目３４は前記同様に切り剥しが可能な方法であれば、いかなる手段でもよい。
【００２０】
図１７から図１９は本考案の第４実施例を、図２０から図２１は本考案の第５実施例を示したものである。
基本的な構成と使用方法は前記各実施例に示したものと同じである。
すなわち、往復式封筒において前記封筒表側の上端に有するフラップ部分にミシン目を設けかつ封筒裏側の上端にフラップ部分を設けてなる送返信兼備の往復式封筒の提供と、前記封筒本体を開封しかつ裏がえしにして糊り付けてなる返信用の封筒にする送返信兼備の往復式封筒を提供するものである。なお、詳細な説明は省略する。
【００２１】
図２２から図２６は本考案封筒の第６実施例を示したものであり、基本的な構成とその使用方法は前記各実施例に示したものと同じであり、異るところは素材にビニールなどの透明材を使用した点である。
すなわち、封筒本体６１の素材に透明材を用い、かつ表側（図示せず）上端面にフラップ部分６３を一体形成し、裏側６２の表面に貼着して送信する。返信時は、フラップ部分６３を開封部６６を残存して切り取り、この開封部６６を裏側６２にセパレーター６４にて貼着してなるものである。
このような透明素材からなる封筒にすることによって、封筒に直接宛名を印刷する必要がないので同じ封筒を何回でも使用できるので経済的であるばかりか省エネにも役立つことになる。
【００２２】
上述のように本考案の往復式封筒は次のような多くの効果を有する。
（１）本考案からなる往復式の封筒を用いて送信と返信の郵送をすれば、簡単容易にしかも多くの手間ひまもかからずに送信用の封筒で返信することができる。
（２）また本考案の封筒を使用すれば、アンケートやダイレクトメールなどによる回答率や返信率を高めることができるので営業的に有効な郵送方法といえる。
（３）また本考案の封筒を使用することによって、送信用の封筒をそのまま返信用の封筒として利用することができるので、廃棄ゴミによる環境問題に役立つばかりか省エネ問題にも大いに役立つことになる。
（４）また本考案の封筒はいたって構造が簡単であるから、低コストで大量生産が可能となるので経済性や実用性にも富んでいるといえる。
（５）更に本考案による封筒を用いて往復用として郵送をすれば、１通の封筒で返信用の郵便情報などを送信時には目に見えない方法で送信することができるとともに目に見える方法で送信と返信することができる。
【図面の簡単な説明】
【００２３】
【図１】本考案の第１実施例の説明概要図
【図２】本考案の第１実施例の説明概要図
【図３】本考案の第１実施例の説明概要図
【図４】本考案の第１実施例の使用方法を示した説明概要図
【図５】本考案の第１実施例の使用方法を示した説明概要図
【図６】本考案の第１実施例の使用方法を示した説明概要図
【図７】本考案の第１実施例の使用方法を示した説明概要図
【図８】本考案の第１実施例の使用方法を示した説明概要図
【図９】本考案の第１実施例の使用方法を示した説明概要図
【図１０】本考案の第２実施例を示した説明概要図
【図１１】本考案の第２実施例を示した説明概要図
【図１２】本考案の第２実施例を示した説明概要図
【図１３】本考案の第３実施例を示した説明概要図
【図１４】本考案の第３実施例を示した説明概要図
【図１５】本考案の第３実施例を示した説明概要図
【図１６】本考案の第３実施例を示した説明概要図
【図１７】本考案の第４実施例を示した説明概要図
【図１８】本考案の第４実施例を示した説明概要図
【図１９】本考案の第４実施例を示した説明概要図
【図２０】本考案の第５実施例を示した説明概要図
【図２１】本考案の第５実施例を示した説明概要図
【図２２】本考案の第６実施例を示した説明概要図
【図２３】本考案の第６実施例を示した説明概要図
【図２４】本考案の第６実施例を示した説明概要図
【図２５】本考案の第６実施例を示した説明概要図
【図２６】本考案の第６実施例を示した説明概要図
【図２７】従来の往復用ハガキと往復用封筒を示した説明概要図
【図２８】従来の往復用ハガキと往復用封筒を示した説明概要図
【図２９】従来の往復式封筒を示した説明概要図
【符号の説明】
【００２４】
１、２１、３１、４１、５１、６１、９１  往復式封筒本体
２、５２、９２  表側
３、２２、３２、４２、５４、６２、９３  裏側
４、２６、６３、６６  開封部
５  糊付部
６、２６、４５  脱着片
７、２４、３４、４４、９６  ミシン目
８、２５、３５、９５  フラップ部分
９、３７、４３、５３、５５、６５、９７  糊
１０、３８、５６  チューブ
２３  内側片
６４  セパレーター
７１  往復ハガキ本体
７２  送信ハガキ
７３  返信ハガキ
Ａ  送信宛名
Ｂ  返信宛名
Ｋ  ハサミ
Ｒ  指先
Ｓ  書面
【図１】
0003148114.tif 000003
【図２】
0003148114.tif 000004
【図３】
0003148114.tif 000005
【図４】
0003148114.tif 000006
【図５】
0003148114.tif 000007
【図６】
0003148114.tif 000008
【図７】
0003148114.tif 000009
【図８】
0003148114.tif 000010
【図９】
0003148114.tif 000011
【図１０】
0003148114.tif 000012
【図１１】
0003148114.tif 000013
【図１２】
0003148114.tif 000014
【図１３】
0003148114.tif 000015
【図１４】
0003148114.tif 000016
【図１５】
0003148114.tif 000017
【図１６】
0003148114.tif 000018
【図１７】
0003148114.tif 000019
【図１８】
0003148114.tif 000020
【図１９】
0003148114.tif 000021
【図２０】
0003148114.tif 000022
【図２１】
0003148114.tif 000023
【図２２】
0003148114.tif 000024
【図２３】
0003148114.tif 000025
【図２４】
0003148114.tif 000026
【図２５】
0003148114.tif 000027
【図２６】
0003148114.tif 000028
【図２７】
0003148114.tif 000029
【図２８】
0003148114.tif 000030
【図２９】
0003148114.tif 000031